(57)【要約】【課題】出品者自身が査定を行った場合であっても、入札者に一定の基準に基づいた査定結果を提供することを可能とする。【解決手段】主催者サーバ２０は、オンライン型入札システムが有する所定の項目に関する基準に該当する基準値のみにより構成される選択項目を、出品者端末１０に送信する選択項目送信部を具備し、出品者端末１０は、選択項目受信部によって受信される選択項目が選択されることに応じて、出品される物品に対応する物品情報を取得する物品情報取得部と、物品情報取得部によって取得された物品情報を主催者サーバ２０に送信する物品情報送信部とを具備し、主催者サーバ２０は、物品情報受信部によって受信される物品情報を登録する入札物品情報登録部とを具備する。【選択図】図１
2011103086.tif 000002
【特許請求の範囲】
【請求項１】
物品のオンライン型入札の主催者が管理する主催者サーバと、出品される前記物品に係る情報である物品情報を前記主催者サーバに登録するために用いられる出品者端末と、前記出品者端末より出品される前記物品を落札するために用いられる入札者端末とを有するオンライン型入札システムであって、
前記主催者サーバは、
前記オンライン型入札システムが有する所定の項目に関する基準に該当する基準値を保持する基準値保持部と、
前記基準値保持部によって保持される前記基準値のみにより構成される選択項目を、前記出品者端末に送信する選択項目送信部とを具備し、
前記出品者端末は、
前記主催者サーバからの前記選択項目を受信する選択項目受信部と、
前記選択項目受信部によって受信される前記選択項目が選択されることに応じて、出品される前記物品に対応する前記物品情報を取得する物品情報取得部と、
前記物品情報取得部によって取得された前記物品情報を前記主催者サーバに送信する物品情報送信部とを具備し、
前記主催者サーバは、
前記出品者端末からの前記物品情報を受信する物品情報受信部と、
前記物品情報受信部によって受信される前記物品情報を登録する入札物品情報登録部とを具備するオンライン型入札システム。
【請求項２】
前記主催者サーバは、
落札された前記物品の落札金額支払いのための入金が行われたことを示す入金情報を入力する入金情報入力部を具備し、
前記出品者端末は、
前記入金情報を要求する入金情報要求を前記主催者サーバへ送信する入金情報要求送信部を具備し、
前記主催者サーバは、
前記出品者端末からの入金情報要求に応じて、前記入金情報を前記出品者端末へ送信する入金情報送信部を具備し、
前記出品者端末は、
前記主催者サーバからの前記入金情報を受信する入金情報受信部を具備する請求項１に記載のオンライン型入札システム。
【請求項３】
物品のオンライン型入札の主催者が管理する主催者サーバと、出品される前記物品に係る情報である物品情報を前記主催者サーバに登録するために用いられる出品者端末と、前記出品者端末より出品される前記物品を落札するために用いられる入札者端末とを有するオンライン型入札システムであって、
前記主催者サーバは、
落札された前記物品の落札金額支払いのための入金が行われたことを示す入金情報を入力する入金情報入力部を具備し、
前記出品者端末は、
前記入金情報を要求する入金情報要求を前記主催者サーバへ送信する入金情報要求送信部を具備し、
前記主催者サーバは、
前記出品者端末からの入金情報要求に応じて、前記入金情報を前記出品者端末へ送信する入金情報送信部を具備し、
前記出品者端末は、
前記主催者サーバからの前記入金情報を受信する入金情報受信部を具備するオンライン型入札システム。
【請求項４】
前記入金情報入力部は、落札された前記物品に関する情報が記載された書類が、前記物品の落札者に発送されることを許可する請求項３に記載のオンライン型入札システム。
【請求項５】
物品のオンライン型入札の主催者が管理する主催者サーバであって、
前記オンライン型入札システムが有する所定の項目に関する基準に該当する基準値を保持する基準値保持部と、
前記基準値保持部によって保持される前記基準値のみにより構成される選択項目を、出品される物品に係る情報である物品情報を前記主催者サーバに登録するために用いられる出品者端末に送信する選択項目送信部と、
前記出品者端末によって受信される前記選択項目が選択されることに応じて取得される前記物品情報を、前記出品者端末から受信する物品情報受信部と、
前記物品情報受信部によって受信される前記物品情報を登録する入札物品情報登録部とを具備する主催者サーバ。
【請求項６】
前記物品情報は、前記物品の損傷に関する情報である損傷情報を含む請求項５に記載の主催者サーバ。
【請求項７】
前記損傷情報は、複数の階層により構成され、損傷の部位と損傷の程度とを含む請求項６に記載の主催者サーバ。
【請求項８】
前記物品情報は、少なくとも１つ以上の画像情報を含む請求項５、６又は７に記載の主催者サーバ。
【請求項９】
前記出品者端末から受信した、出品者を特定する出品者情報から、遠隔地からの物品持込を伴わない非物品移動型の出品者であることを判定する出品者判定部を具備する請求項５、６、７又は８に記載の主催者サーバ。
【請求項１０】
物品のオンライン型入札の主催者が管理する主催者サーバと、出品される前記物品に係る情報である物品情報を前記主催者サーバに登録するために用いられる出品者端末と、前記出品者端末より出品される前記物品を落札するために用いられる入札者端末とを有するオンライン型入札システムにおけるオンライン型入札方法であって、
前記主催者サーバが、前記オンライン型入札システムが有する所定の項目に関する基準に該当する基準値を保持するステップと、
前記主催者サーバが、保持される前記基準値のみにより構成される選択項目を、前記出品者端末に送信するステップと、
前記出品者端末が、前記主催者サーバからの前記選択項目を受信するステップと、
前記出品者端末が、受信される前記選択項目が選択されることに応じて、出品される前記物品に対応する前記物品情報を取得するステップと、
前記出品者端末が、取得された前記物品情報を前記主催者サーバに送信するステップと、
前記主催者サーバが、前記出品者端末からの前記物品情報を受信するステップと、
前記主催者サーバが、受信される前記物品情報を登録するステップとを具備するオンライン型入札方法。
【請求項１１】
物品のオンライン型入札の主催者が管理する主催者サーバと、出品される前記物品に係る情報である物品情報を前記主催者サーバに登録するために用いられる出品者端末と、前記出品者端末より出品される前記物品を落札するために用いられる入札者端末とを有するオンライン型入札システムにおけるオンライン型入札方法であって、
前記主催者サーバが、落札された前記物品の落札金額支払いのための入金が行われたことを示す入金情報を入力するステップと、
前記出品者端末が、前記入金情報を要求する入金情報要求を前記主催者サーバへ送信するステップと、
前記主催者サーバが、前記出品者端末からの入金情報要求に応じて、前記入金情報を前記出品者端末へ送信するステップと、
前記出品者端末が、前記主催者サーバからの前記入金情報を受信するステップとを具備するオンライン型入札方法。
【発明の詳細な説明】
【技術分野】
【０００１】
本発明は、オンラインにおける物品の入札システム、入札システムにおける主催者サーバ及び入札方法に関する。
【背景技術】
【０００２】
本来、中古車等の物品の入札においては、入札会を主催する主催者が所有する又は用意する場所を入札会場とし、その場所に入札対象物品を集め、そこで主催者による入札対象物品の査定及び入札会が行われていた。
【０００３】
この場合、出品者は入札対象物品を入札会場まで運ぶための陸送費及び主催者による査定費等の費用を支払わなければならず、また入札者も入札会場まで赴く必要があった。
【０００４】
しかし、近年はインターネットの発達により、ネットオークションなどのウェブサイトの運営が数多く行われており、中古車等の物品の入札会における入札も従来の運営方法に加えて、入札をオンライン上で行うことが可能となっているものもある。
【０００５】
そこで、中古車等の物品のオンライン型入札には、従来の入札法に加え、出品者が入札対象物品を入札会場に運ぶ必要がなく、出品者自身が査定を行うものも含まれており、これらに関連する技術が発明されている（例えば、特許文献１参照）。
【０００６】
また、オンライン型入札においては、入札者もわざわざ入札会場まで足を運ぶ必要がなくなった。
【先行技術文献】
【特許文献】
【０００７】
【特許文献１】特開２００１−２３６４１２号公報
【発明の概要】
【発明が解決しようとする課題】
【０００８】
上述したオンライン型入札では、入札者は自宅等にて中古車等の物品の入札を行うことができる。
【０００９】
また、出品者は入札対象物品を入札会場に運ぶ必要がないため、陸送費を節約することができる。
【００１０】
また、出品者自身が査定を行うため、査定費を支払う必要もない。
【００１１】
しかしながら、出品者自身が査定を行う場合は、出品者が一定の基準を満たす査定のノウハウを持っているか否かにかかわらず、出品者よる査定結果のばらつきを避けることはできない。例えば、同じ傷に対しての表現は査定する者により千差万別である。
【００１２】
一方、入札会場での査定の場合には、同一の査定員によって、多数の中古車等の物品を査定する場合が一般的であるので、ある程度の査定の標準化は行われていた。
【００１３】
ところで、入札者が中古車等の物品の入札に際して利用できる情報は、出品者自身による査定結果のみである。
【００１４】
従って、入札者は落札後でなければ物品の状態を確認することができず、出品者自身による査定結果と実際の物品の状態とが大きく乖離している場合のリスクを許容しなければならないのが現状である。
【００１５】
上記問題点に鑑み、本願発明は、遠隔地から中古車等の物品を入札会場に持ち込まない非物品移動型のオンライン型入札において、出品者自身が査定を行った場合であっても、入札者に一定の基準に基づいた査定結果を提供することが可能な物品のオンライン型入札システム、入札システムにおける主催者サーバ及び入札方法を提供することを目的とする。
【課題を解決するための手段】
【００１６】
上述した課題を解決するために、本発明は以下のような特徴を有している。
【００１７】
本発明の特徴は、物品のオンライン型入札の主催者が管理する主催者サーバ（主催者サーバ２０）と、出品される前記物品に係る情報である物品情報を前記主催者サーバに登録するために用いられる出品者端末（出品者端末１０）と、前記出品者端末より出品される前記物品を落札するために用いられる入札者端末（入札者端末３０）とを有するオンライン型入札システムであって、前記主催者サーバは、前記オンライン型入札システムが有する所定の項目に関する基準に該当する基準値を保持する基準値保持部（基準値保持部２１１）と、前記基準値保持部によって保持される前記基準値のみにより構成される選択項目を、前記出品者端末に送信する選択項目送信部（選択項目送信部２１２）とを具備し、前記出品者端末は、前記主催者サーバからの前記選択項目を受信する選択項目受信部（選択項目受信部１１１）と、前記選択項目受信部によって受信される前記選択項目が選択されることに応じて、出品される前記物品に対応する前記物品情報を取得する物品情報取得部（物品情報取得部１１２）と、前記物品情報取得部によって取得された前記物品情報を前記主催者サーバに送信する物品情報送信部（物品情報送信部１１３）とを具備し、前記主催者サーバは、前記出品者端末からの前記物品情報を受信する物品情報受信部（物品情報受信部２１３）と、前記物品情報受信部によって受信される前記物品情報を登録する入札物品情報登録部（物品情報登録部２１４）とを具備することを要旨とする。
【００１８】
このようなオンライン型入札システムでは、主催者サーバは、基準値のみにより構成される選択項目を出品者端末へ送信し、出品者端末は、出品者の操作に応じて、当該選択項目からなる査定情報を作成する。このため、出品者自身が査定を行った場合であっても、入札者に一定の基準に基づいた査定結果を提供することが可能である。
【００１９】
本発明の特徴は、前記主催者サーバは、落札された前記物品の落札金額支払いのための入金が行われたことを示す入金情報を入力する入金情報入力部（入金情報入力部２１６）を具備し、前記出品者端末は、前記入金情報を要求する入金情報要求を前記主催者サーバへ送信する入金情報要求送信部（入金情報取得部１１４）を具備し、前記主催者サーバは、前記出品者端末からの入金情報要求に応じて、前記入金情報を前記出品者端末へ送信する入金情報送信部（入金情報確認部２１７）を具備し、前記出品者端末は、前記主催者サーバからの前記入金情報を受信する入金情報受信部（入金情報取得部１１４）を具備することを要旨とする。
【００２０】
このようなオンライン型入札システムでは、主催者サーバは、出品者端末からの問い合わせに応じて、出品者が出品し、落札された物品についての入金情報を、出品者端末へ送信する。従って、出品者は、落札者が入金したか否かを知ることが可能である。
【００２１】
本発明の特徴は、物品のオンライン型入札の主催者が管理する主催者サーバと、出品される前記物品に係る情報である物品情報を前記主催者サーバに登録するために用いられる出品者端末と、前記出品者端末より出品される前記物品を落札するために用いられる入札者端末とを有するオンライン型入札システムであって、前記主催者サーバは、落札された前記物品の落札金額支払いのための入金が行われたことを示す入金情報を入力する入金情報入力部を具備し、前記出品者端末は、前記入金情報を要求する入金情報要求を前記主催者サーバへ送信する入金情報要求送信部を具備し、前記主催者サーバは、前記出品者端末からの入金情報要求に応じて、前記入金情報を前記出品者端末へ送信する入金情報送信部を具備し、前記出品者端末は、前記主催者サーバからの前記入金情報を受信する入金情報受信部を具備することを要旨とする。
【００２２】
本発明の特徴は、前記入金情報入力部は、落札された前記物品に関する情報が記載された書類が、前記物品の落札者に発送されることを許可することを要旨とする。
【００２３】
本発明の特徴は、物品のオンライン型入札の主催者が管理する主催者サーバであって、前記オンライン型入札システムが有する所定の項目に関する基準に該当する基準値を保持する基準値保持部と、前記基準値保持部によって保持される前記基準値のみにより構成される選択項目を、出品される物品に係る情報である物品情報を前記主催者サーバに登録するために用いられる出品者端末に送信する選択項目送信部と、前記出品者端末によって受信される前記選択項目が選択されることに応じて取得される前記物品情報を、前記出品者端末から受信する物品情報受信部と、前記物品情報受信部によって受信される前記物品情報を登録する入札物品情報登録部とを具備することを要旨とする。
【００２４】
本発明の特徴は、前記物品情報は、前記物品の損傷に関する情報である損傷情報を含むことを要旨とする。
【００２５】
本発明の特徴は、前記損傷情報は、複数の階層により構成され、損傷の部位と損傷の程度とを含むことを要旨とする。
【００２６】
本発明の特徴は、前記物品情報は、少なくとも１つ以上の画像情報を含むことを要旨とする。
【００２７】
本発明の特徴は、前記出品者端末から受信した、出品者を特定する出品者情報から、遠隔地からの物品持込を伴わない非物品移動型の出品者であることを判定する出品者判定部（出品者判定部２１５）を具備することを要旨とする。
【００２８】
本発明の特徴は、物品のオンライン型入札の主催者が管理する主催者サーバと、出品される前記物品に係る情報である物品情報を前記主催者サーバに登録するために用いられる出品者端末と、前記出品者端末より出品される前記物品を落札するために用いられる入札者端末とを有するオンライン型入札システムにおけるオンライン型入札方法であって、前記主催者サーバが、前記オンライン型入札システムが有する所定の項目に関する基準に該当する基準値を保持するステップと、前記主催者サーバが、保持される前記基準値のみにより構成される選択項目を、前記出品者端末に送信するステップと、前記出品者端末が、前記主催者サーバからの前記選択項目を受信するステップと、前記出品者端末が、受信される前記選択項目が選択されることに応じて、出品される前記物品に対応する前記物品情報を取得するステップと、前記出品者端末が、取得された前記物品情報を前記主催者サーバに送信するステップと、前記主催者サーバが、前記出品者端末からの前記物品情報を受信するステップと、前記主催者サーバが、受信される前記物品情報を登録するステップとを具備することを要旨とする。
【００２９】
本発明の特徴は、物品のオンライン型入札の主催者が管理する主催者サーバと、出品される前記物品に係る情報である物品情報を前記主催者サーバに登録するために用いられる出品者端末と、前記出品者端末より出品される前記物品を落札するために用いられる入札者端末とを有するオンライン型入札システムにおけるオンライン型入札方法であって、前記主催者サーバが、落札された前記物品の落札金額支払いのための入金が行われたことを示す入金情報を入力するステップと、前記出品者端末が、前記入金情報を要求する入金情報要求を前記主催者サーバへ送信するステップと、前記主催者サーバが、前記出品者端末からの入金情報要求に応じて、前記入金情報を前記出品者端末へ送信するステップと、前記出品者端末が、前記主催者サーバからの前記入金情報を受信するステップとを具備することを要旨とする。
【発明の効果】
【００３０】
本発明によれば、オンライン型入札において、出品者自身が査定を行った場合であっても、入札者に一定の基準に基づいた査定結果を提供することが可能となる。
【図面の簡単な説明】
【００３１】
【図１】本発明の実施形態に係る物品のオンライン型入札システムの全体概略構成図である。
【図２】本発明の実施形態に係る出品者端末の構成図である。
【図３】本発明の実施形態に係る主催者サーバの構成図である。
【図４】本発明の実施形態に係る入札者端末の構成図である。
【図５】本発明の実施形態に係る査定情報入力画面である。
【図６】本発明の実施形態に係る特記事項検索画面である。
【図７】本発明の実施形態に係る修復内容検索画面である。
【図８】本発明の実施形態に係るデータ構造である。
【図９】本発明の実施形態に係る出品者端末及び主催者サーバの動作を示す第１のシーケンス図である。
【図１０】本発明の実施形態に係る出品者端末及び主催者サーバの動作を示す第２のシーケンス図である。
【発明を実施するための形態】
【００３２】
次に、図面を参照して、本発明の実施形態を説明する。具体的には、（１）物品のオンライン型入札システムの全体概略構成、（２）出品者端末、主催者サーバ及び入札者端末の構成、（３）出品者端末及び主催者サーバの動作、（４）作用・効果、（５）その他の実施形態について説明する。以下の実施形態における図面の記載において、同一又は類似の部分には同一又は類似の符号を付している。なお、本実施形態で扱う物品は中古車である。
【００３３】
（１）物品のオンライン型入札システムの構成
図１は、本発明の実施形態に係る物品のオンライン型入札システム１の全体概略構成図である。
【００３４】
図１に示すように、物品のオンライン型入札システム１は、複数の出品者端末１０と、主催者サーバ２０とが、専用線４０(ＶＰＮ及びリモート接続を含む)を介して通信を行い、主催者サーバ２０と、複数の入札者端末３０とが、インターネット４１を介して通信を行うことにより成り立っている。なお、複数の出品者端末１０と、主催者サーバ２０とが、インターネット４１を介して通信を行ってもよい。
【００３５】
（２）出品者端末、主催者サーバ及び入札者端末の構成
図２は、本発明の実施形態に係る出品者端末１０の構成図である。
【００３６】
図２に示す出品者端末１０は、例えばパーソナルコンピュータである。出品者端末１０は、制御部１１０、通信部１２０、操作部１３０、モニタ１４０及び記憶部１５０を含む。
【００３７】
制御部１１０は、例えばＣＰＵによって構成され、出品者端末１０が具備する各種機能を制御する。
【００３８】
通信部１２０は、主催者サーバ２０との間で、専用線４０(ＶＰＮ及びリモート接続を含む)を介した通信を行う。
【００３９】
操作部１３０は、テンキーやファンクションキーなどによって構成され、出品者の操作内容を入力するために用いられるインターフェースである。また、操作部１３０は、モニタ１４０に表示された文字列などを選択したりするポインティングデバイスであるマウスも含まれる。
【００４０】
モニタ１４０は、制御部１１０を介して受信した画像を表示したり、操作内容を表示したりする。
【００４１】
記憶部１５０は、例えばメモリによって構成され、出品者端末１０における制御などに用いられる各種情報を記憶する。
【００４２】
制御部１１０は、選択項目受信部１１１、物品情報取得部１１２、物品情報送信部１１３、入金情報取得部１１４を含む。
【００４３】
図３は、本発明の実施形態に係る主催者サーバ２０の構成図である。
【００４４】
図３に示す主催者サーバ２０は、物品のオンライン型入札システム１において、出品者端末１０と入札者端末３０とのインターフェースであり、物品のオンライン型入札システム１を管理するものである。
【００４５】
主催者サーバ２０は、制御部２１０、通信部２２０、操作部２３０、モニタ２４０及び記憶部２５０を含む。
【００４６】
制御部２１０は、例えばＣＰＵによって構成され、主催者サーバ２０が具備する各種機能を制御する。
【００４７】
通信部２２０は、出品者端末１０との間で、専用線４０(ＶＰＮ及びリモート接続を含む)を介した通信を行い、入札者端末３０との間で、インターネット４１を介した通信を行う。
【００４８】
操作部２３０は、テンキーやファンクションキーなどによって構成され、主催者の操作内容を入力するために用いられるインターフェースである。また、操作部２３０は、モニタ２４０に表示された文字列などを選択したりするポインティングデバイスであるマウスも含まれる。
【００４９】
モニタ２４０は、制御部２１０を介して受信した画像を表示したり、操作内容を表示したりする。
【００５０】
記憶部２５０は、例えばメモリによって構成され、主催者サーバ２０における制御などに用いられる各種情報を記憶する。
【００５１】
制御部２１０は、基準値保持部２１１、選択項目送信部２１２、物品情報受信部２１３、物品情報登録部２１４、出品者判定部２１５、入金情報入力部２１６、入金情報確認部２１７を含む。
【００５２】
図４は、本発明の実施形態に係る入札者端末３０の構成図である。
【００５３】
図４に示す入札者端末３０は、例えばパーソナルコンピュータである。入札者端末３０は、制御部３１０、通信部３２０、操作部３３０、モニタ３４０及び記憶部３５０を含む。
【００５４】
制御部３１０は、例えばＣＰＵによって構成され、入札者端末３０が具備する各種機能を制御する。
【００５５】
通信部３２０は、主催者サーバ２０との間で、インターネット４１を介した通信を行う。
【００５６】
操作部３３０は、テンキーやファンクションキーなどによって構成され、入札者の操作内容を入力するために用いられるインターフェースである。また、操作部３３０は、モニタ３４０に表示された文字列などを選択したりするポインティングデバイスであるマウスも含まれる。
【００５７】
モニタ３４０は、制御部３１０を介して受信した画像を表示したり、操作内容を表示したりする。
【００５８】
記憶部３５０は、例えばメモリによって構成され、入札者端末３０における制御などに用いられる各種情報を記憶する。
【００５９】
次に図２乃至図４の各構成要素について説明する。
【００６０】
図２に示す出品者端末１０において、出品者による操作部１３０の操作により、制御部１１０は、出品者端末１０にインストールされた、出品に係る物品である中古車の物品情報を主催者サーバ２０に登録する処理に用いられるアプリケーションを起動する。なお、物品情報には車両情報、査定情報、出品に係る中古車の画像データ及びその車検証の画像データを含む。車両情報とは、出品に係る中古車を特定するための情報であり、例えば、入庫番号、出品番号、型式番号、出品者ＩＤ、ウェブ入札会の会場や日時等が含まれる。査定情報とは、出品に係る中古車の損傷に関する特記事項や、修復内容が含まれる。
【００６１】
制御部１１０は、主催者サーバ２０に、通信部１２０を介して、当該アプリケーションを起動した旨及び出品者を特定する出品者情報を送信する。
【００６２】
図３に示す主催者サーバ２０において、制御部２１０は、出品者端末１０から、通信部２２０を介して、当該アプリケーションを起動した旨及び出品者を特定する出品者情報を受信する。
【００６３】
出品者判定部２１５は、制御部２１０が受信した出品者情報と、記憶部１５０に記憶されている、出品者を特定する情報（出品者ＩＤ等）のそれぞれとを比較し、当該出品者が出品者資格を有する者であるか否か判定すると共に、当該出品者が遠隔地から中古車の持込を伴わない非物品移動型の出品者であることを判定する。
【００６４】
出品者判定部２１５によって、出品者情報と、出品者ＩＤとが一致し、出品者情報に係る出品者が非物品移動型の出品者であると判定された場合、制御部２１０は、出品者端末１０に、通信部２２０を介して、以下に示すようなメニュー画面を送信する。
【００６５】
図２に示す出品者端末１０において、制御部１１０は、主催者サーバ２０から、通信部１２０を介して、メニュー画面を受信する。
【００６６】
制御部１１０は、受信したメニュー画面をモニタ１４０に表示させる。
【００６７】
出品者が、操作部１３０を操作して、メニュー画面における各種メニューのうち、車両情報入力を選択することにより、制御部１１０は、主催者サーバ２０に、通信部１２０を介して、車両情報入力画面要求を送信する。同様に、査定情報入力画面、出品に係る中古車の画像データ及びその車検証の画像データの読み込み画面についても出品者が、操作部１３０を操作して、メニュー画面における各種メニューから選択する。なお、車両情報入力画面からの入力は最初に行われなければならないが、その他はどのような順序で行われてもよい。
【００６８】
図３に示す主催者サーバ２０において、制御部２１０は、出品者端末１０から、通信部２２０を介して、車両情報入力画面要求を受信する。
【００６９】
制御部２１０は、出品者端末１０に、通信部２２０を介して、車両情報入力画面を送信する。
【００７０】
図２に示す出品者端末１０において、制御部１１０は、主催者サーバ２０から、通信部１２０を介して、車両情報入力画面を受信する。
【００７１】
制御部１１０は、車両情報入力画面をモニタ１４０に表示させる。
【００７２】
出品者が、操作部１３０を操作して、車両情報入力画面における入力欄に車両情報を入力するとともに、車両情報入力画面における選択項目から車両情報を選択し、確定すると、物品情報取得部１１２は、車両情報を取得する。
【００７３】
物品情報送信部１１３は、物品情報取得部１１２が取得した車両情報を、通信部１２０を介して、主催者サーバ２０に送信する。
【００７４】
図３に示す主催者サーバ２０において、物品情報受信部２１３は、出品者端末１０から、通信部２２０を介して、車両情報を受信する。
【００７５】
物品情報登録部２１４は、物品情報受信部２１３が受信した車両情報と、当該車両情報を一意に特定するＩＤ（車両情報ＩＤ）とをひもづけて、記憶部２５０に保存する。
【００７６】
制御部２１０は、出品者端末１０に、通信部２２０を介して、車両情報ＩＤを送信する。
【００７７】
図２に示す出品者端末１０において、制御部１１０は、主催者サーバ２０から、通信部１２０を介して、車両情報ＩＤを受信し、記憶部１５０に保持させる。
【００７８】
出品者が車両情報入力画面において、操作部１３０を操作することにより、制御部１１０は、主催者サーバ２０に、通信部１２０を介して、メニュー画面要求を送信する。
【００７９】
図３に示す主催者サーバ２０において、制御部２１０は、出品者端末１０から、通信部２２０を介して、メニュー画面要求を受信する。
【００８０】
制御部２１０は、出品者端末１０に、通信部２２０を介して、メニュー画面を送信する。
【００８１】
図２に示す出品者端末１０において、制御部１１０は、主催者サーバ２０から、通信部１２０を介して、メニュー画面を受信する。
【００８２】
制御部１１０は、受信したメニュー画面をモニタ１４０に表示させる。
【００８３】
出品者が、操作部１３０を操作して、メニュー画面における各種メニューのうち、中古車画像データ読み込み画面を選択することにより、制御部１１０は、主催者サーバ２０に、通信部１２０を介して、中古車画像データ読み込み画面要求を送信する。
【００８４】
図３に示す主催者サーバ２０において、制御部２１０は、出品者端末１０から、通信部２２０を介して、中古車画像データ読み込み画面要求を受信する。
【００８５】
制御部２１０は、出品者端末１０に、通信部２２０を介して、中古車画像データ読み込み画面を送信する。
【００８６】
図２に示す出品者端末１０において、制御部１１０は、主催者サーバ２０から、通信部１２０を介して、中古車画像データ読み込み画面を受信する。
【００８７】
制御部１１０は、中古車画像データ読み込み画面をモニタ１４０に表示させる。
【００８８】
出品者が、図示されていないスキャナ等の読み込み装置を操作して、中古車画像データ読み込み画面の中古車画像データ欄に中古車画像データを読み込み、確定すると、物品情報取得部１１２は、中古車画像データを取得する。その際、制御部１１０は、記憶部１３０に保持されている、車両情報ＩＤと読み込んだ中古車画像データとをひもづける。
【００８９】
物品情報送信部１１３は、物品情報取得部１１２が取得した中古車画像データと、中古車画像データにひもづけられた車両情報ＩＤとを、通信部１２０を介して、主催者サーバ２０に送信する。
【００９０】
図３に示す主催者サーバ２０において、物品情報受信部２１３は、出品者端末１０から、通信部２２０を介して、中古車画像データと、中古車画像データにひもづけられた車両情報ＩＤとを受信する。
【００９１】
物品情報登録部２１４は、物品情報受信部２１３が受信した、中古車画像データにひもづけられた車両情報ＩＤと、記憶部２５０に保存された車両情報ＩＤのそれぞれとを比較する。更に、物品情報登録部２１４は、双方の車両情報ＩＤが一致した場合、中古車画像データを、一致した車両情報ＩＤにひもづけられている車両情報と関連付けて、記憶部２５０に保存する。
【００９２】
図２に示す出品者端末１０において、出品者が、中古車画像データ読み込み画面において、操作部１３０を操作することにより、制御部１１０は、主催者サーバ２０に、通信部１２０を介して、メニュー画面要求を送信する。
【００９３】
図３に示す主催者サーバ２０において、制御部２１０は、出品者端末１０から、通信部２２０を介して、メニュー画面要求を受信する。
【００９４】
制御部２１０は、出品者端末１０に、通信部２２０を介して、メニュー画面を送信する。
【００９５】
図２に示す出品者端末１０において、制御部１１０は、主催者サーバ２０から、通信部１２０を介して、メニュー画面を受信する。
【００９６】
制御部１１０は、受信したメニュー画面をモニタ１４０に表示させる。
【００９７】
出品者が、操作部１３０を操作して、メニュー画面における各種メニューのうち、車検証画像データ読み込み画面を選択することにより、制御部１１０は、主催者サーバ２０に、通信部１２０を介して、車検証画像データ読み込み画面要求を送信する。
【００９８】
図３に示す主催者サーバ２０において、制御部２１０は、出品者端末１０から、通信部２２０を介して、車検証画像データ読み込み画面要求を受信する。
【００９９】
制御部２１０は、出品者端末１０に、通信部２２０を介して、車検証画像データ読み込み画面を送信する。
【０１００】
図２に示す出品者端末１０において、制御部１１０は、主催者サーバ２０から、通信部１２０を介して、車検証画像データ読み込み画面を受信する。
【０１０１】
制御部１１０は、車検証画像データ読み込み画面をモニタ１４０に表示させる。
【０１０２】
出品者が、図示されていないスキャナ等の読み込み装置を操作して、車検証画像データ読み込み画面の車検証画像データ欄に車検証画像データを読み込み、確定すると、物品情報取得部１１２は、車検証画像データを取得する。その際、制御部１１０は、記憶部１３０に保持されている車両情報ＩＤと、読み込んだ車検証画像データとをひもづける。
【０１０３】
物品情報送信部１１３は、物品情報取得部１１２が取得した車検証画像データと、車検証画像データにひもづけられた車両情報ＩＤとを、通信部１２０を介して、主催者サーバ２０に送信する。
【０１０４】
図３に示す主催者サーバ２０において、物品情報受信部２１３は、出品者端末１０から、通信部２２０を介して、車検証画像データと、車検証画像データにひもづけられた車両情報ＩＤとを受信する。
【０１０５】
物品情報登録部２１４は、物品情報受信部２１３が受信した、車検証画像データにひもづけられた車両情報ＩＤと、記憶部２５０に保存された車両情報ＩＤのそれぞれとを比較する。更に、物品情報登録部２１４は、双方の車両情報ＩＤが一致した場合、車検証画像データを、一致した車両情報ＩＤにひもづけられている車両情報と関連付けて、記憶部２５０に保存する。
【０１０６】
図２に示す出品者端末１０において、出品者が、車検証画像データ読み込み画面において、操作部１３０を操作することにより、制御部１１０は、主催者サーバ２０に、通信部１２０を介して、メニュー画面要求を送信する。
【０１０７】
図３に示す主催者サーバ２０において、制御部２１０は、出品者端末１０から、通信部２２０を介して、メニュー画面要求を受信する。
【０１０８】
制御部２１０は、出品者端末１０に、通信部２２０を介して、メニュー画面を送信する。
【０１０９】
図２に示す出品者端末１０において、制御部１１０は、主催者サーバ２０から、通信部１２０を介して、メニュー画面を受信する。
【０１１０】
制御部１１０は、受信したメニュー画面をモニタ１４０に表示させる。
【０１１１】
出品者が、操作部１３０を操作して、メニュー画面における各種メニューのうち、査定情報入力画面を選択することにより、制御部１１０は、主催者サーバ２０に、通信部１２０を介して、査定情報入力画面要求を送信する。
【０１１２】
図３に示す主催者サーバ２０において、制御部２１０は、出品者端末１０から、通信部２２０を介して、査定情報入力画面要求を受信する。
【０１１３】
制御部２１０は、出品者端末１０に、通信部２２０を介して、査定情報入力画面を送信する。
【０１１４】
図２に示す出品者端末１０において、制御部１１０は、主催者サーバ２０から、通信部１２０を介して、査定情報入力画面を受信する。
【０１１５】
制御部１１０は、査定情報入力画面をモニタ１４０に表示させる。
【０１１６】
以下、具体的な査定情報の取得手法について説明する。図５は、査定情報入力画面５０の一例であり、図６は、特記事項検索画面６０の一例であり、図７は、修復内容検索画面７０の一例である。
【０１１７】
図５における査定図は、車両情報に係る中古車の部位と当該部位の損傷及びその程度とを表す項目である。出品者が、操作部１３０を操作して、査定情報入力画面５０の部位５１を押下すると、制御部１１０は、当該部位の損傷及びその程度を表す記号を選択する画面を、モニタ１４０に表示させる。更に、出品者が、操作部１３０を操作して、当該画面から当該記号を選択すると、制御部１１０は、部位と、当該部位の損傷及びその程度を確定する。例えば、記号５２の”Ｃ１”は腐食１０ｃｍ以内を表し、”Ａ２”は線キズ１０ｃｍ以内を表す。更に、物品情報取得部１１２は、確定した部位と、当該部位の損傷及びその程度を、査定情報に含ませる。
【０１１８】
加えて、当該中古車の車両情報、例えばボティーの形式（乗用車、商用車、トラックなど）やドア又は窓の枚数等によって、部位の損傷及びその程度の基準値を複数設定しておくことも可能である。
【０１１９】
また、特記事項の入力においては、まず、出品者が、操作部１３０を操作して、査定情報入力画面５０の特記事項欄５３を選択し、修復・特記検索ボタン５４を押下する。この操作に応じて、制御部１１０は、主催者サーバ２０に、通信部１２０を介して、部位選択欄６１に表示される、部位の選択項目（部位選択項目）の要求を送信する。
【０１２０】
図３に示す主催者サーバ２０において、制御部２１０は、出品者端末１０から、通信部２２０を介して、部位選択項目の要求を受信する。
【０１２１】
基準値保持部２１１は、物品のオンライン型入札システム１が有する、出品に係る中古車の物品情報に含まれる、所定の項目の基準値を保持する。基準値とは、出品者自身が査定を行った場合であっても、入札者に一定の基準に基づいた査定結果を提供するために用いられる予め決められた値である。図６における特記事項検索画面６０の部位選択欄６１に表示される部位選択項目が基準値に対応する。また、各部位選択項目毎に用意された、特記事項選択欄６２に表示される特記事項の選択項目（特記事項選択項目）が基準値に対応する。
【０１２２】
選択項目送信部２１２は、制御部２１０が受信した、部位選択項目の要求に基づいて、基準値保持部２１１から基準値としての部位選択項目を取得する。更に、選択項目送信部２１２は、取得した部位選択項目からなるリスト（部位選択項目リスト）を、通信部２２０を介して、出品者端末１０に送信する。
【０１２３】
図２に示す出品者端末１０において、選択項目受信部１１１は、主催者サーバ２０から、通信部１２０を介して、部位選択項目リストを受信する。
【０１２４】
制御部１１０は、部位選択欄６１に、部位項目リストに含まれる部位選択項目を含ませて、モニタ１４０に表示させる。
【０１２５】
次に、出品者が、操作部１３０を操作して、部位選択欄６１における部位選択項目のいずれかを選択した場合、制御部１１０は、主催者サーバ２０に、通信部１２０を介して、特記事項選択項目の要求を送信する。この要求には、選択された部位選択項目の情報が含まれる。
【０１２６】
図３に示す主催者サーバ２０において、制御部２１０は、出品者端末１０から、通信部２２０を介して、特記事項選択項目の要求を受信する。
【０１２７】
選択項目送信部２１２は、制御部２１０が受信した、特記事項選択項目の要求に基づいて、基準値保持部２１１に保持されている基準値としての特記事項選択項目のうち、選択された部位選択項目に対応する、特記事項選択項目を取得する。更に、選択項目送信部２１２は、取得した特記事項選択項目からなるリスト（特記事項選択項目リスト）を、通信部２２０を介して、出品者端末１０に送信する。
【０１２８】
図２に示す出品者端末１０において、選択項目受信部１１１は、主催者サーバ２０から、通信部２２０を介して、特記事項選択項目リストを受信する。
【０１２９】
制御部１１０は、特記事項選択欄６２に、特記事項選択項目リストに含まれる特記事項選択項目を含ませて、モニタ１４０に表示させる。
【０１３０】
その後、出品者が、操作部１３０を操作して、特記事項選択欄６２における特記事項選択項目のいずれかを選択した場合で、選択ボタン６３を押下した場合、制御部１１０は、選択された特記事項を、図５に示す査定情報入力画面５０における特記事項欄５３に含ませて、モニタ１４０に表示させる。更に、物品情報取得部１１２は、選択された特記事項を査定情報に含ませる。
【０１３１】
同様に、修復内容の入力においては、まず、出品者が、操作部１３０を操作して、査定情報入力画面５０の修復内容欄５５を選択し、修復・特記検索ボタン５４を押下する。この操作に応じて、制御部１１０は、主催者サーバ２０に、通信部１２０を介して、部位選択欄７１に表示される、部位の選択項目（部位選択項目）の要求を送信する。
【０１３２】
図３に示す主催者サーバ２０において、制御部２１０は、出品者端末１０から、通信部２２０を介して、部位選択項目の要求を受信する。
【０１３３】
図７における修復内容検索画面７０の部位選択欄７１に表示される部位選択項目が、基準値保持部２１１に保持される修復内容の基準値に対応する。また、各部位選択項目毎に用意された、修復内容選択欄７２に表示される修復内容の選択項目（修復内容選択項目）が、基準値保持部２１１に保持される修復内容の基準値に対応する。
【０１３４】
選択項目送信部２１２は、制御部２１０が受信した、部位選択項目の要求に基づいて、基準値保持部２１１から基準値としての部位選択項目を取得する。更に、選択項目送信部２１２は、取得した部位選択項目からなるリスト（部位選択項目リスト）を、通信部２２０を介して、出品者端末１０に送信する。
【０１３５】
図２に示す出品者端末１０において、選択項目受信部１１１は、主催者サーバ２０から、通信部１２０を介して、部位選択項目リストを受信する。
【０１３６】
制御部１１０は、部位選択欄７１に、部位項目リストに含まれる部位選択項目を含ませて、モニタ１４０に表示させる。
【０１３７】
次に、出品者が、操作部１３０を操作して、部位選択欄７１における部位選択項目のいずれかを選択した場合、制御部１１０は、主催者サーバ２０に、通信部１２０を介して、修復内容選択項目の要求を送信する。この要求には、選択された部位選択項目の情報が含まれる。
【０１３８】
図３に示す主催者サーバ２０において、制御部２１０は、出品者端末１０から、通信部２２０を介して、修復内容選択項目の要求を受信する。
【０１３９】
選択項目送信部２１２は、制御部２１０が受信した、修復内容選択項目の要求に基づいて、基準値保持部２１１に保持されている基準値としての修復内容選択項目のうち、選択された部位選択項目に対応する、修復内容選択項目を取得する。更に、選択項目送信部２１２は、取得した修復内容選択項目からなるリスト（修復内容選択項目リスト）を、通信部２２０を介して、出品者端末１０に送信する。
【０１４０】
図２に示す出品者端末１０において、選択項目受信部１１１は、主催者サーバ２０から、通信部２２０を介して、修復内容選択項目リストを受信する。
【０１４１】
制御部１１０は、修復内容選択欄７２に、修復内容選択項目リストに含まれる修復内容選択項目を含ませて、モニタ１４０に表示させる。
【０１４２】
その後、出品者が、操作部１３０を操作して、修復内容選択欄７２における修復内容選択項目のいずれかを選択した場合で、選択ボタン７３を押下した場合、制御部１１０は、選択された修復内容を、図５に示す査定情報入力画面５０における修復内容欄５５に含ませて、モニタ１４０に表示させる。更に、物品情報取得部１１２は、選択された修復内容を査定情報に含ませる。
【０１４３】
なお、特記事項検索画面６０を用いて特記事項を選択せずに、出品者が、操作部１３０を操作して、特記事項欄５３に直接入力することも可能である。また修復内容検索画面７０を用いて修復内容を選択せずに、出品者が、操作部１３０を操作して、修復内容欄５５に直接入力することも可能である。その際も、物品情報取得部１１２は、入力された特記事項と修復内容とを査定情報に含ませる。
【０１４４】
次に、制御部１１０は、記憶部１３０に保持されている車両情報ＩＤと、査定情報とをひもづける。更に、物品情報送信部１１３は、物品情報取得部１１２が取得した査定情報と査定情報にひもづけられた車両情報ＩＤとを、通信部１２０を介して、主催者サーバ２０に送信する。
【０１４５】
図３に示す主催者サーバ２０において、物品情報受信部２１３は、出品者端末１０から、通信部２２０を介して、査定情報と、査定情報にひもづけられた車両情報ＩＤとを受信する。
【０１４６】
物品情報登録部２１４は、物品情報受信部２１３が受信した、査定情報にひもづけられた車両情報ＩＤと、記憶部２５０に保存された車両情報ＩＤそれぞれとを比較する。更に、物品情報登録部２１４は、双方の車両情報ＩＤが一致した場合、査定情報を、一致した車両情報ＩＤにひもづけられている車両情報と関連付けて、記憶部２５０に保存する。これにより、物品情報登録部２１４は、車両情報ＩＤと、当該車両情報ＩＤに関連付けられた車両情報、中古車画像データ、車検証画像データ及び査定情報とを関連付けて、物品情報として記憶部２５０に記憶させることになる。なお、物品情報は、図８（ａ）の構成となる。
【０１４７】
制御部２１０が出品者端末１０からＥ−ｍａｉｌで作業完了報告を受信した後、又は、主催者が出品者から電話で作業完了報告を受けた後、制御部２１０は、記憶部２５０に保存された物品情報をモニタ２４０に表示させる。更に、主催者が、表示された物品情報を検査し、内容が正常である場合には、操作部２３０を操作して、当該物品情報を出品データとして確定する操作を行う。制御部２１０は、この操作に応じて、当該物品情報に、内容が正常であることを示す出品データフラグを追加して（’Ｙ‘とする）、出品データとする。なお、出品データは、図８（ｂ）の構成となる。
【０１４８】
その後、制御部２１０は、出品データに含まれる車両情報のウェブ入札会の会場や日時等に基づいて、当該出品データを、通信部２２０を介して、入札者端末３０に公開する。
【０１４９】
図４に示す入札者端末３０において、制御部３１０は、主催者サーバ２０から、通信部３２０を介して、出品データを受信する。
【０１５０】
制御部１１０は、受信した出品データをモニタ３４０に表示させる。
【０１５１】
入札者による操作部３３０の操作により、出品データに係る中古車を落札する場合、制御部３１０は、当該操作に応じて、出品データ内の車両情報ＩＤと、入札者ＩＤと、入札価格とを含む入札に係る情報である入札情報を生成し、通信部３２０を介して、主催者サーバ２０に送信する。なお、入札情報は、図８（ｃ）の構成となる。
【０１５２】
図３に示す主催者サーバ２０において、制御部２１０は、入札情報を、通信部２２０を介して、入札者端末３０から受信し、記憶部２５０に保存する。
【０１５３】
制御部２１０は、記憶部２５０に保存された出品データに含まれる車両情報のウェブ入札会の会場や日時等に基づいて、当該出品データの公開を終了する。
【０１５４】
公開終了後、制御部２１０は、入札者端末３０から受信した入札情報のうち、当該入札情報に含まれる入札価格が最も高いものの入札者ＩＤに係る入札者を落札者に決定し、当該落札者に対応する入札情報に、落札者であることを示す落札者フラグ（’Ｙ‘とする）を追加し、落札情報とする。なお、入札情報は、図８（ｄ）の構成となる。
【０１５５】
制御部２１０は、出品データと、当該出品データと同一の車両情報ＩＤを有する落札情報及び入札情報とを外部出力する。主催者は、ＦＡＸを用いて出品者に対して、出品データと、当該出品データと同一の車両情報ＩＤを有する落札情報及び入札情報とを落札結果として通知する。
【０１５６】
出品者は、主催者からＦＡＸを用いて通知された落札結果に基づいて、落札された中古車の販売、流札又は再出品を決定する。更に、出品者は、当該決定を、ＦＡＸを用いて主催者に通知する。
【０１５７】
図３に示す主催者サーバ２０において、主催者による操作部２３０の操作により、制御部２１０は、出品者からＦＡＸを用いて通知された、出品者による決定を示すフラグ（決定フラグ）を出品データに追加し、決定データとする。なお、決定データは、図８（ｅ）の構成となる。更に、制御部２１０は、通信部２２０を介して、決定データと、当該決定データと同一の車両情報ＩＤを有する落札情報及び入札情報からなる落札結果確認情報とを入札者端末３０に公開する。
【０１５８】
図４に示す入札者端末３０において、制御部３１０は、主催者サーバ２０から、通信部３２０を介して、落札結果確認情報を受信する。
【０１５９】
制御部３１０は、受信した落札結果確認情報をモニタ３４０に表示させる。
【０１６０】
出品者は、落札された中古車を販売することに決定した場合、宅配便等を用いて、販売することに決定した中古車の売却車両譲渡書類を主催者に発送する。
【０１６１】
図４に示す入札者端末３０において、モニタ３４０に表示された落札結果確認情報を確認した落札者は、落札金額を主催者の口座に入金する。その際、落札者は落札された中古車に対応する車両情報ＩＤと、落札者自身の入札者ＩＤとを通知する。
【０１６２】
主催者が、落札者の入金を確認した場合、図３に示す主催者サーバ２０において、主催者による操作部２３０の操作に応じて、入金情報入力部２１６は、通知された、落札された中古車に対応する車両情報ＩＤ及び落札者自身の入札者ＩＤと、記憶部２５０に保存された落札情報内の車両情報ＩＤ及び入札者ＩＤとを比較する。更に、入金情報入力部２１６は、双方の車両情報ＩＤ及び入札者ＩＤが一致した場合、一致した落札情報に入金済みフラグ（’Ｙ‘とする）を追加して入金情報とする。また、入金情報入力部２１６は、当該入金情報に書類発送可能フラグ（’Ｙ‘とする）を追加する。なお、入金情報は、図８（ｆ）の構成となる。
【０１６３】
主催者は、落札者の入金を確認した後、落札者に売却車両譲渡書類を発送する。
【０１６４】
図２に示す出品者端末１０において、出品者による操作部１３０の操作により、入金情報取得部１１４が、販売することに決定した中古車に対応する車両情報ＩＤと、落札者の入札者ＩＤとを、通信部１２０を介して、主催者サーバ２０に送信する。
【０１６５】
図３に示す主催者サーバ２０において、入金情報確認部２１７は、出品者端末１０から、通信部２２０を介して、販売することに決定した中古車に対応する車両情報ＩＤと、落札者の入札者ＩＤとを受信する。
【０１６６】
入金情報確認部２１７は、受信した、販売することに決定した中古車に対応する車両情報ＩＤ及び落札者の入札者ＩＤと、記憶部２５０に保存された入金情報内の車両情報ＩＤ及び入札者ＩＤのそれぞれとを比較する。
【０１６７】
更に、入金情報確認部２１７は、双方の車両情報ＩＤ及び入札者ＩＤが一致している場合は、出品者端末１０に、通信部２２０を介して、入金情報を送信する。
【０１６８】
図２に示す出品者端末１０において、入金情報取得部１１４は、主催者サーバ２０から、通信部１２０を介して、入金情報を受信する。
【０１６９】
入金情報取得部１１４は、受信した入金情報をモニタ１４０に表示させる。
【０１７０】
（３）出品者端末及び主催者サーバの動作
次に、出品者端末１０及び主催者サーバ２０の動作を説明する。図９及び図１０は、出品者端末１０及び主催者サーバ２０の動作を示すシーケンス図である。
【０１７１】
まず、図９を用いて、出品者端末１０及び主催者サーバ２０の第１の動作について説明する。
【０１７２】
ステップＳ１０１において、出品者端末１０は、主催者サーバ２０に、中古車の物品情報を主催者サーバ２０に登録する処理に用いられるアプリケーションを起動した旨及び出品者を特定する出品者情報を送信する。主催者サーバ２０は、出品者端末１０から、当該アプリケーションを起動した旨及び当該出品者情報を受信する。
【０１７３】
ステップＳ１０２において、主催者サーバ２０は、受信した出品者情報に係る出品者が出品者資格を有する者であるか否かを判定すると共に、当該出品者が遠隔地から中古車の持込を伴わない非物品移動型の出品者であることを判定する。
【０１７４】
ステップＳ１０２において、受信した出品者情報に係る出品者が出品者資格を有する者であると判定された場合、ステップＳ１０３において、主催者サーバ２０は、出品者端末１０に、メニュー画面を送信する。出品者端末１０は、主催者サーバ２０から、メニュー画面を受信する。
【０１７５】
ステップＳ１０４において、出品者端末１０は、受信したメニュー画面から車両情報入力画面を選択する。なお、中古車画像データ読み込み画面、車検証画像データ読み込み画面、査定情報入力画面もメニュー画面から選択される。
【０１７６】
ステップＳ１０５において、出品者端末１０の物品情報取得部１１２は、車両情報入力画面に入力された車両情報を取得し、出品者端末１０の物品情報送信部１１３は、主催者サーバ２０に、車両情報を送信する。主催者サーバ２０の物品情報受信部２１３は、出品者端末１０の物品情報送信部１１３から、車両情報を受信する。
【０１７７】
ステップＳ１０６において、主催者サーバ２０の物品情報登録部２１４は、物品情報受信部２１３が受信した車両情報と、当該車両情報を一意に特定するＩＤ（車両情報ＩＤ）とをひもづけて、主催者サーバ２０に保存する。
【０１７８】
ステップＳ１０７において、主催者サーバ２０は、出品者端末１０に、車両情報ＩＤを送信する。出品者端末１０は、主催者サーバ２０から、車両情報ＩＤを受信する。
【０１７９】
ステップＳ１０８において、出品者端末１０は、受信した車両情報ＩＤを保持する。
【０１８０】
ステップＳ１０９において、出品者端末１０の物品情報取得部１１２は、中古車画像データ読み込み画面に読み込まれた中古車画像データを取得し、出品者端末１０の物品情報送信部１１３は、主催者サーバ２０に、中古車画像データと、中古車画像データにひもづけられた車両情報ＩＤとを送信する。主催者サーバ２０の物品情報受信部２１３は、出品者端末１０の物品情報送信部１１３から、中古車画像データと、中古車画像データにひもづけられた車両情報ＩＤとを受信する。
【０１８１】
ステップＳ１１０において、主催者サーバ２０の物品情報登録部２１４は、物品情報受信部２１３が受信した中古車画像データにひもづけられた車両情報ＩＤと、主催者サーバ２０に保存された車両情報ＩＤのそれぞれとを比較し、双方の車両情報ＩＤが一致した場合、中古車画像データを、一致した車両情報ＩＤにひもづけられている車両情報と関連付けて、主催者サーバ２０に保存する。
【０１８２】
ステップＳ１１１において、出品者端末１０の物品情報取得部１１２は、車検証画像データ読み込み画面に読み込まれた車検証画像データを取得し、出品者端末１０の物品情報送信部１１３は、主催者サーバ２０に、車検証画像データと、車検証画像データにひもづけられた車両情報ＩＤとを送信する。主催者サーバ２０の物品情報受信部２１３は、出品者端末１０の物品情報送信部１１３から、車検証画像データと、車検証画像データにひもづけられた車両情報ＩＤとを受信する。
【０１８３】
ステップＳ１１２において、主催者サーバ２０の物品情報登録部２１４は、物品情報受信部２１３が受信した車検証画像データにひもづけられた車両情報ＩＤと、主催者サーバ２０に保存された車両情報ＩＤのそれぞれとを比較し、双方の車両情報ＩＤが一致した場合、車検証画像データを、一致した車両情報ＩＤにひもづけられている車両情報と関連付けて、主催者サーバ２０に保存する。
【０１８４】
ステップＳ１１３において、出品者端末１０が、主催者サーバ２０に、査定情報入力画面の選択項目の要求を送信する。主催者サーバ２０は、出品者端末１０から、査定情報入力画面の選択項目の要求を受信する。
【０１８５】
ステップＳ１１４において、主催者サーバ２０の選択項目送信部２１２が、主催者サーバ２０が受信した選択項目の要求に基づいて、基準値保持部２１１から選択項目を取得し、ステップＳ１１５において、取得した選択項目からなるリストを、出品者端末１０に送信する。出品者端末１０の選択項目受信部１１１は、主催者サーバ２０の選択項目送信部２１２から、取得した選択項目からなるリストを受信する。
【０１８６】
ステップＳ１１６において、出品者端末１０の選択項目受信部１１１が、主催者サーバ２０から選択項目リストを受信し、査定情報入力画面に表示する。
【０１８７】
ステップＳ１１７において、出品者端末１０の物品情報取得部１１２が、査定情報入力画面において選択された査定情報を取得し、出品者端末１０の物品情報送信部１１３が、主催者サーバ２０に、査定情報と、査定情報にひもづけられた車両情報ＩＤとを送信する。主催者サーバ２０の物品情報受信部２１３は、出品者端末１０の物品情報送信部１１３から、査定情報と、査定情報にひもづけられた車両情報ＩＤとを受信する。
【０１８８】
ステップＳ１１８において、主催者サーバ２０の物品情報登録部２１４は、物品情報受信部２１３が受信した査定情報にひもづけられた車両情報ＩＤと、主催者サーバ２０に保存された車両情報ＩＤのそれぞれとを比較し、双方の車両情報ＩＤが一致した場合、査定情報を、一致した車両情報ＩＤにひもづけられている車両情報と関連付けて、主催者サーバ２０に保存する。
【０１８９】
次に図１０を用いて、出品者端末１０及び主催者サーバ２０の第２の動作について説明する。
【０１９０】
ステップＳ２０１において、落札者の入金が通知された場合、主催者サーバ２０の入金情報入力部２１６は、落札者の落札情報に入金済みフラグを追加し入金情報とする。また、主催者サーバ２０の入金情報入力部２１６は、当該入金情報に書類発送可能フラグを追加する。なお、落札情報は図８（ｄ）、入金情報は図８（ｆ）の構成となる。
【０１９１】
ステップＳ２０２において、出品者端末１０の入金情報取得部１１４は、販売することに決定した中古車に対応する車両情報ＩＤと、落札者の入札者ＩＤとを、主催者サーバ２０に送信する。主催者サーバ２０の入金情報確認部２１７は、出品者端末１０の入金情報取得部１１４から、当該車両情報ＩＤと落札者の入札者ＩＤとを受信する。
【０１９２】
ステップＳ２０３において、主催者サーバ２０の入金情報確認部２１７は、受信した、販売することに決定した中古車に対応する車両情報ＩＤと落札者の入札者ＩＤと、主催者サーバ２０に保存された入金情報内の車両情報ＩＤと入札者ＩＤのそれぞれとを比較する。双方の車両情報ＩＤと入札者ＩＤとが一致している場合は、ステップＳ２０４において、入金情報確認部２１７は、出品者端末１０に、入金情報を送信する。出品者端末１０の入金情報取得部１１４は、主催者サーバ２０の入金情報確認部２１７から、入金情報を受信する。
【０１９３】
ステップＳ２０５において、出品者端末１０の入金情報取得部１１４は、受信した入金情報を表示する。
【０１９４】
（４）作用・効果
本発明の実施形態における物品のオンライン型入札システムでは、主催者サーバ２０は、基準値のみにより構成される選択項目を出品者端末１０へ送信し、出品者端末１０は、出品者の操作に応じて、当該選択項目からなる査定情報を作成し、主催者サーバ２０へ送信する。このため、出品者自身が査定を行った場合であっても、入札者に一定の基準に基づいた査定結果を提供することが可能である。
【０１９５】
また、本実施形態における物品のオンライン型入札システムでは、主催者サーバ２０は、出品者端末１０からの問い合わせに応じて、出品者が出品し、落札された物品についての入金情報を、出品者端末１０へ送信する。従って、出品者は、落札者が入金したか否かを知ることが可能である。
【０１９６】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１９７】
上述した実施形態では、出品に係る物品である中古車の物品情報を主催者サーバ２０に登録する処理に用いられるアプリケーションが、出品者端末１０にインストールされているが、出品者端末１０においてウェブブラウザを用いても同様の処理が可能であり、本発明を適用することができる。
【０１９８】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【０１９９】
本発明の物品のオンライン型入札システム、当該物品のオンライン型入札システムにおける主催者サーバ及び入札方法は、出品者自身が査定を行った場合であっても、入札者に一定の基準に基づいた査定結果を提供することが可能であり、物品のオンライン型入札システム、入札システムにおける主催者サーバ及び入札方法として有用である。
【符号の説明】
【０２００】
１０…出品者端末、２０…主催者サーバ、３０…入札者端末、４０…専用線、４１…インターネット、１１０…制御部、１１１…選択項目受信部、１１２…物品情報取得部、１１３…物品情報送信部、１１４…入金情報取得部、１２０…通信部、１３０…操作部、１４０…モニタ、１５０…記憶部、２１０…制御部、２１１…基準値保持部、２１２…選択項目送信部、２１３…物品情報受信部、２１４…物品情報登録部、２１５…出品者判定部、２１６…入金情報入力部、２１７…入金情報確認部、２２０…通信部、２３０…操作部、２４０…モニタ、２５０…記憶部、３１０制御部、３２０…通信部、３３０…操作部、３４０…モニタ、３５０…記憶部
【図１】
2011103086.tif 000003
【図２】
2011103086.tif 000004
【図３】
2011103086.tif 000005
【図４】
2011103086.tif 000006
【図５】
2011103086.tif 000007
【図６】
2011103086.tif 000008
【図７】
2011103086.tif 000009
【図８】
2011103086.tif 000010
【図９】
2011103086.tif 000011
【図１０】
2011103086.tif 000012